(57)【要約】【課題】電気的・機械的な動力源を不要とし、室内の自然加湿を室内の所望の箇所で適宜行う。【解決方法】比表面積が大きく超微細多孔質構造体や層状構造体のセラミック材を主原料とした高含水率の調湿部２を有するインテリア製品１を形成し、このインテリア製品１を室内の所望箇所に設置し、調湿部２に加水Ｗを行って含水させると共に、この調湿部２から室内の湿度状態に即応した放湿を行わしめることにより室内湿度の自然加湿を図る。【選択図】  図１
2004271156.tif 000002
【特許請求の範囲】
【請求項１】
比表面積が大きく超微細多孔質構造体や層状構造体などのセラミック材を主原料とした高含水率の調湿部を有するインテリア製品を室内の所望箇所に設置し、このインテリア製品の調湿部に加水を行って含水させると共に、この調湿部から室内の湿度状態に即応した放湿を行わしめることにより室内湿度の調湿を図ることを特徴とする室内の自然加湿方法。
【請求項２】
調湿部に含水される加水分には、健康面に有効な薬剤や香料など健康促進剤を混入することを特徴とする請求項１記載の室内の自然加湿方法。
【請求項３】
調湿部には、健康面に有効な薬剤や香料及び／又は微粉末化された健康面に有効な植物材料などが混入され、室内環境改善の促進を図ることを特徴とする請求項１又は２記載の室内の自然加湿方法。
【請求項４】
微粉末化された健康面に有効な植物材料は、茶がらやコーヒーかすなど使用済の植物材料の再利用であることを特徴とする請求項３記載の室内の自然加湿方法。
【請求項５】
調湿部の色調は、茶がらやコーヒーかすなど健康面に有効な植物材料又はそれら使用済の植物材料の再利用により調色されることを特徴とする請求項１，２，３又は４記載の室内の自然加湿方法。
【請求項６】
調湿部には、主原料であるセラミック材に対し微細化された裁断古紙を混入することを特徴とする請求項１，２，３，４又は５記載の室内の自然加湿方法。
【請求項７】
比表面積が大きく超微細多孔質構造体や層状構造体などのセラミック材を主原料とし、多量の含水を可能とする高含水率の調湿部と、上記調湿部への加水を行う加水器とを備え、室内の所望箇所に移動自在に設置することを特徴とする自然加湿機能を有するインテリア製品。
【請求項８】
調湿部の形状は、調湿機能性と共に室内装飾機能性を付加してなることを特徴とする請求項７記載の自然加湿機能を有するインテリア製品。
【請求項９】
調湿部に含水される加水分には、健康面に有効な薬剤や香料など健康促進剤を混入することを特徴とする請求項７又は８記載の自然加湿機能を有するインテリア製品。
【請求項１０】
調湿部には、健康面に有効な薬剤や香料及び／又は微粉末化された健康面に有効な植物材料などが混入され、室内環境改善の促進を図ることを特徴とする請求項７，８又は９記載の自然加湿機能を有するインテリア製品。
【請求項１１】
微粉末化された健康面に有効な植物材料は、茶がらやコーヒーかすなど使用済の植物材料の再利用であることを特徴とする請求項１０記載の自然加湿機能を有するインテリア製品。
【請求項１２】
調湿部の色調は、茶がらやコーヒーかすなど健康面に有効な植物材料又はそれら使用済の植物材料の再利用により調色されることを特徴とする請求項７，８，９，１０又は１１記載の自然加湿機能を有するインテリア製品。
【請求項１３】
調湿部には、主原料であるセラミック材に対し微細化された裁断古紙を混入することを特徴とする請求項７，８，９，１０，１１又は１２記載の自然加湿機能を有するインテリア製品。
【発明の詳細な説明】
【０００１】
【発明の属する技術分野】
この発明は、電気的・機械的な動力源を不要とし、特に室内の自然加湿を室内の所望の箇所で適宜行うことが可能な室内の自然加湿方法、及び、自然加湿機能を有するインテリア製品に関するものである。
【０００２】
【従来の技術】
近時の建築物は、建築材料の進歩によりその室内密封性が非常に高くなっていると共に、環境快適性を求める消費者の需要に応え、暖房器具などの室内冷暖房装置もより高い機能をもったものが設置されている。気密性や断熱性という面からは、あたかも高気密性，高断熱性の魔法瓶のような状態ともいえる。
【０００３】
室内の密封性が高まることは隙間風などが入らなくなり、特に冬場の暖房性の確保という面では大変効果があり、風邪引きの原因などを少なくすることができるが、高気密性，高断熱性の部屋で高暖房により室内が過乾燥状態になると、例えば風邪の菌が繁殖しやすくなったり、肌荒れがひどくなったりするなど健康面でマイナスの問題が発生する。
【０００４】
相対湿度４０％未満であれば風邪の菌が繁殖しやすくなるといわれており、特に３０％未満となると風邪の菌は大いに繁殖し、また、人体側も喉，鼻の粘膜が乾燥し繊毛がフラットになり菌を捕まえ排出することが困難になるため、風邪にかかりやすくなると指摘されている。
【０００５】
【発明が解決しようとする課題】
例えば、より高い環境快適性が求められるホテルなどの室内暖房をみても、次のような問題がある。すなわち、高い精度の気密性を有する室内は、その殆どが石油を原料とする建材や壁紙や床材などの室内装飾材によって形成されているため、室内が湿気の吸収と放出を行うことができず、はなはだ調湿性が悪く暖房時に室内が乾燥し過ぎてしまい、これが原因で喉を傷めたり，風邪やインフルエンザを誘発したり，肌荒れを誘発したりすることとなる。
【０００６】
しかも、睡眠時には抵抗力が落ちていると共に、その都度暖房の調整を行うことができないため、目覚めたときには上記したように体調が崩されている。したがって、対応策としては風呂場のドアを開けたままにして適当な湿度を確保したり、バスタオルに風呂の水を染み込ませ室内に掛けて置くなどの一時凌ぎの対処をするしかなかった。
【０００７】
また、加湿器を設置するなどの方法もあるが、このような加湿器は電気を動力とするために、音がうるさい，強制的な過加湿による結露が発生する，電気代が余分にかかるなどの不具合がある。
【０００８】
いずれにせよ、技術の進歩に頼った現今の強制暖房は、より高い暖房性を確保できるが、その反面で異常乾燥の発生を生み出すという二律背反的な問題を有しており、バランスのよい加湿を容易に利便性よく確保することは案外難しいことである。
【０００９】
本願発明者らは、体力の弱いお年寄りや幼児・子供に対しても安心して使うことができ、シックハウス対策効果もある自然加湿を鋭意研究し、その課題解決を図ったものである。
【００１０】
この発明は、上記のような事情に鑑みてなされたものであり、その目的とするところは、電気的・機械的な動力源を不要とし、特に室内の自然加湿を室内の所望の箇所で適宜行うことが可能な室内の自然加湿方法、及び、自然加湿機能を有するインテリア製品を提供することにある。
【００１１】
【課題を解決するための手段】
この発明は、上記のような目的を違成するために、室内の自然加湿方法として、請求項１記載のように、比表面積が大きく超微細多孔質構造体や層状構造体などのセラミック材を主原料とした高含水率の調湿部を有するインテリア製品を室内の所望箇所に設置し、このインテリア製品の調湿部に加水を行って含水させると共に、この調湿部から室内の湿度状態に即応した放湿を行わしめることにより室内湿度の調湿を図ることを特徴とする。また、請求項２記載のように、調湿部に含水される加水分には、健康面に有効な薬剤や香料など健康促進剤を混入することを特徴とし、請求項３記載のように、調湿部には、健康面に有効な薬剤や香料及び／又は微粉末化された健康面に有効な植物材料などが混入され、室内環境改善の促進を図ることを特徴とし、請求項４記載のように、微粉末化された健康面に有効な植物材料は、茶がらやコーヒーかすなど使用済の植物材料の再利用であることを特徴とし、請求項５記載のように、調湿部の色調は、茶がらやコーヒーかすなど健康面に有効な植物材料又はそれら使用済の植物材料の再利用により調色されることを特徴とし、請求項６記載のように、調湿部には、主原料であるセラミック材に対し微細化された裁断古紙を混入することを特徴とする。
【００１２】
また、自然加湿機能を有するインテリア製品として、請求項６記載のように、比表面積が大きく超微細多孔質構造体や層状構造体などのセラミック材を主原料とし、多量の含水を可能とする高含水率の調湿部と、上記調湿部への加水を行う加水器とを備え、室内の所望箇所に移動自在に設置することを特徴とする。また、請求項７記載のように、調湿部の形状は、調湿機能性と共に室内装飾機能性を付加してなることを特徴とし、請求項９記載のように、調湿部に含水される加水分には、健康面に有効な薬剤や香料など健康促進剤を混入することを特徴とし、請求項１０記載のように、調湿部には、健康面に有効な薬剤や香料及び／又は微粉末化された健康面に有効な植物材料などが混入され、室内環境改善の促進を図ることを特徴とし、請求項１１記載のように、微粉末化された健康面に有効な植物材料は、茶がらやコーヒーかすなど使用済の植物材料の再利用であることを特徴とし、請求項１２記載のように、調湿部の色調は、茶がらやコーヒーかすなど健康面に有効な植物材料又はそれら使用済の植物材料の再利用により調色されることを特徴とし、請求項１３記載のように、調湿部には、主原料であるセラミック材に対し微細化された裁断古紙を混入することを特徴とする。
【００１３】
【発明の実施の形態】
以下、この発明の実施例を図面に基づき詳細に説明する。図１は、この発明に係る自然加湿機能を有するインテリア製品の１例を一部透視状態で示した説明図である。
【００１４】
図１に示すように、このインテリア製品１は、比表面積が大きく超微細多孔質構造体や層状構造体などのセラミック材を主原料とした高含水率の調湿部２と、この調湿部２に加水Ｗを行って含水させる加水器３とにより構成されている。比表面積が大きく高含水率の調湿部２は、超微細多孔質構造体で微粉末状の珪藻土や層状構造体であるモンモリロナイトなどを主成分としたセラミッククレー（粘土）を平板状に形成し、絵画のように枠縁２ａ内に取付けられてる。調湿部２の元部は、水を張った加水器３内に立設されている。加水器３は、ペットボトル３１の再利用や霧吹き器としてもよい（図示略）。また、２ｂは載置板である。さらに、調湿部２には主原料であるセラミック材に対し微細化された裁断古紙を混入し、調湿部２の強度と調湿機能の向上を図ると共に、リサイクルへの貢献促進を併せて図る。
【００１５】
このようにした、インテリア製品１を加湿を必要とする室内の所望の箇所に設置する。調湿部２には多量の水分が含水されているので、室内の温度が上昇して室内の湿度が低下し乾燥状態となると、その調湿部２から室内の湿度状態に即応して適宜水分が蒸発されて室内の湿度を正常に保つ。
勿論、調湿部２に室内の湿度の吸湿作用を行わせることもできる。
【００１６】
このように、この実施例に係るインテリア製品は、その調湿部を形成するセラミッククレーのもつ機能、比表面積が大きく、超微細多孔質構造体や層状構造体などを活用して含水を行うことができるので、電気的・機械的な動力源を不要とし、しかも室内の自然加湿を室内の所望の箇所で適宜行うことが可能となる。
また、調湿部は軽量体であるので、このインテリア製品は持ち運びがはなはだ楽である。さらに、板状の調湿部の表面などに模様を施すことができるので、単に室内の加湿だけでなく、室内の雰囲気に合わせたインテリアとすることができる。
【００１７】
セラミッククレーを用いた含水率の一例を示す。比表面積が大きく超微細多孔質構造体並びに層状構造体のセラミッククレーを用いた調湿性を有する壁材として、当社製品である商品名「ケイソウくん（登録商標）」がある。
この製品の基本的放湿能力は、２ｍｍ厚で１ｍ２当り約１５０ｃｃである。また、この製品を、温度２０度，湿度６０％の部屋に１週間放置し、その後２４時間ごとに、温度３０度，湿度９５％の湿潤環境下、そして次に、温度５度，湿度３０％の乾燥環境下に置き換えた。
そして、両環境下でどれだけの湿気を吸湿，放湿するかテストした結果は次の表の如くであった。
2004271156.tif 000003
【００１８】
図２に示すものは、第２の実施例であり、調湿部２は潅木状に形成されている。加湿器３には水が張られ、この加湿器３に潅木状調湿部２の元部が設置され、調湿部２の設置元部から加水器３内の水Ｗが調湿部２に吸い上げられ含水される。
【００１９】
図３に示すものは、第３の実施例であり、調湿部２は折り畳み自在な屏風あるいはつい立などのように形成されている。つい立などのように形成した場合には、その下部にローラ５を付けて移動自在にしてもよい。図４に示すものは、第４の実施例であり、移動可能なスチームスタイル態様とされている。この場合の調湿部２は、網状の円筒体にペレット状や球状に形成したセラミッククレーを詰め込んだものとしてもよい。
調湿部２をペレット状や球状（図示略）に形成した場合には、皿の上にまとめて置きインテリア製品とすることもできる。
【００２０】
図５に示すものは第５の実施例を示すもので複数パネル型、図６に示すものは第６の実施例を示すもので掛け軸型やのれん型の調湿部としたものである。図６（ａ）のように「志」などの文字２０やその他模様あるいは生花２１などを取付ける。また、健康面に有効な薬剤や香料，微粉末化された健康面に有効な植物材料などによりその色調を調整してもよい。
【００２１】
その他、調湿部は植物，乗り物，人形，ミニ庭園などインテリア製品に相応しいあらゆる形状のものとすることができ、新たな機能のインテリア製品を提供する。つい立型の場合には、例えば就寝中の子供の頭部の周囲を囲むように設置することができ、騒音なしに快適な空調環境を容易に提供することができる。
【００２２】
さらに、この発明では調湿部のインテリア性などの他に、室内空気の環境改善も図ることができる。すなわち、加水される水分に対し、健康面に有効な薬剤や香料など健康促進剤を混入することも可能である。また、海洋深層水，温泉水，漢方水などを用いたり混入したりすることも可能である。さらに、調湿部には精神面で気分をリラックスするマイナスイオン鉱物，ハーブかすなどを混入したり、抗菌作用を有する茶がらや消臭作用を有するコーヒーかすなどを混入することも可能である。
【００２３】
さらに、調湿部に茶がら，コーヒーかす，ハーブかすなどのような植物性材料を微粉化してブレンドしたものを混入し、調湿部の色調を調整する。
この場合には、自然材料による色調の調整であるため、人体に対する室内環境を良好に保つことができると共に、多量に廃棄される残渣の再利用を図ることができエコリサイクル面でも著しく貢献をすることができる。
【００２４】
その他、調湿部に生花を差し込んだ場合には、調湿部における含水により長期間新鮮な状態を保つことができる。
【００２５】
このように、上記実施例による調湿部によれば、
▲１▼  軽量・高含水率
▲２▼  自然な吸放湿性能
▲３▼  多彩なアッセンブリー性，インテリア性
▲４▼  微粉化された植物性材料などによる、着色，芳香，空気浄化，健康促進，エコリサイクル
などに優れている。
【００２６】
【発明の効果】
以上説明したように、この発明によれば、体力の弱いお年寄りや幼児・子供に対しても安心して使うことができ、従来のように機械的・強制的な加湿を行うのではなく、人と環境にやさしい自然加湿を提供することができ、併せてシックハウス対策効果にも優れる。
さらに具体的には、電気的・機械的な動力源を不要とし、特に室内の自然加湿を室内の所望の箇所で適宜行うことが可能な室内の自然加湿方法、及び、自然加湿機能を有するインテリア製品を提供することができる。
【図面の簡単な説明】
【図１】この発明に係る自然加湿機能を有するインテリア製品の１例を一部透視状態で示した説明図である。
【図２】この発明に係るインテリア製品の第２の実施例を示す説明図である。
【図３】この発明に係るインテリア製品の第３の実施例を示す説明図である。
【図４】この発明に係るインテリア製品の第４の実施例を示す説明図である。
【図５】この発明に係るインテリア製品の第５の実施例を示す説明図である。
【図６】この発明に係るインテリア製品の第５の実施例を示す説明図である。
【符号の説明】
１        インテリア製品
２        調湿部
３        加水器
【図１】
2004271156.tif 000004
【図２】
2004271156.tif 000005
【図３】
2004271156.tif 000006
【図４】
2004271156.tif 000007
【図５】
2004271156.tif 000008
【図６】
2004271156.tif 000009